(57)【要約】      （修正有）【課題】金型の穴に付設されたアイボルトに起因したクレーンのワイヤー等の傷みを回避することにより、安全上すぐれた金型反転具を提供する。【解決手段】金型反転具１は、金型の端部において飛び出た鍔板の内側部と鍔板の側部に、それぞれ嵌め入れる金型反転具１の挟持部の外側部１１と挟持部の側部１２を有し、挟持部の外側部１１に対して金型の鍔板を挟んで対向する挟持部の内側部１３に複数のボルト穴１４を通してボルト１５が一定間隔ごとに設けられ、各ボルト１５の尖端面１６には金型の鍔板に面で押圧するように弾発力を付与した補助板１７が設けられている。【選択図】図１
0003212427.tif 000002
【実用新案登録請求の範囲】
【請求項１】
金型の端部において飛び出た鍔板の内側部と前記鍔板の側部に、それぞれ嵌め入れる金型反転具の挟持部の外側部と挟持部の側部を有し、前記挟持部の外側部に対して金型の鍔板を挟んで対向する前記挟持部の内側部に１又は２以上のボルト穴を通して１又は２以上のボルトが設けられた金型反転具。
【請求項２】
上端部にワイヤーの係合穴を有する請求項１記載の金型反転具。
【請求項３】
ボルトの尖端面には金型の鍔板に面で押圧するように弾発力を付与した補助板が設けられている請求項１又は２記載の金型反転具。
【考案の詳細な説明】
【技術分野】
【０００１】
本考案は、金型を反転させる冶具に関するものである。
【背景技術】
【０００２】
金型は重量物であるから、取り扱いが困難であるので、通常、クレーン等を活用して反転させている。この場合、金型にあらかじめ穿設された穴を利用してされるのが通常である。しかしこの金型に穿設された穴は、実際はアイボルトが付設されていることから、クレーンの横走行などで金型を反転させようとするので、クレーンのワイヤー等が傷むことがある。それは安全ではないことから、できれば金型の穴を利用しない方が好ましいといえる。
【先行技術文献】
【特許文献】
【０００３】
【特許文献１】実公平３-２６４
【０００４】
この点、従来は、穴の開いた反転用板を金型の面に重ね合わせ、棒状金具を穴に嵌合し、ワイヤーを棒状金具に係合する金型反転具を用いて、ワイヤーをクレーンで引き上げることにより、金型を反転させている（特許文献１）。
【０００５】
しかし従来の特許文献１は、金型の穴に付設されたアイボルトを利用していることに変わりはないことから、この金型の穴に付設されたアイボルトによって、クレーンのワイヤー等の傷みを回避することはできず、安全上なお危険である。
【考案の概要】
【考案が解決しようとする課題】
【０００６】
この考案の目的は、金型の穴に付設されたアイボルトに起因したクレーンのワイヤー等の傷みを回避することにより、安全上すぐれた金型反転具を提供するところにある。
【課題を解決するための手段】
【０００７】
前記目的を達成するために、本金型反転具は、金型の端部において飛び出た鍔板の内側部と前記鍔板の側部に、それぞれ嵌め入れる金型反転具の挟持部の外側部と挟持部の側部を有し、前記挟持部の外側部に対して金型の鍔板を挟んで対向する前記挟持部の内側部に１又は２以上のボルト穴を通して１又は２以上のボルトが設けられている点にある。
【０００８】
本金型反転具は、上端部にワイヤーの係合穴を有することが好ましい。また前記補助板は、各ボルトの尖端面において金型の鍔板に面で押圧するように弾発力を付与した補助板とすることが好ましい。
【考案の効果】
【０００９】
本考案に係る金型反転具は前記の通りであるので、金型の鍔板の内側部と側部に本考案の挟持部の外側部と挟持部の側部を嵌め入れて、ボルトを順次回していくと、１又は２以上の各ボルトの螺着が達成される。そして上端部に設けられたワイヤーの係合穴にワイヤーを係合して、ワイヤーをクレーン等で引き上げることにより、金型を反転させることができる。
【００１０】
従って、本金型反転具は、金型のアイボルトの穴に突っ込む必要がなく、クレーン等の横走行などで金型を反転することがないので、安全上危険を回避することができる。
また金型の鍔板は端に設けられているので、クレーンによりそれを掴んで天に上げる事によって金型の重心が反転する方向に移動するので、あとはクレーンを降ろすだけで金型は反転する。そして重心の調整は、金型の天面から本道具を下に移動して固定するほどクレーンを上げた際に重心が反転する方向に移動するので、反転しやすくなる。
【００１１】
また本金型反転具は、ボルト単体で締結するものでなく、好ましくは補助板により面で鍔板を押圧することから、たとえワイヤーで引き上げることがあっても、危険ではない。またその際、本金型反転具は、両端部に金型の鍔板を押圧する方向に弾発力が付与されている場合は、両端部に弾発力が付与されていない場合に比して、補助板に付与される押圧力が均等になることから、鍔板を有する金型において、より安全性が増大する。
【図面の簡単な説明】
【００１２】
【図１】図１は本考案に係る金型反転具の一実施形態を示す上側斜め方向からみた斜視図である。
【図２】図２は同正面図である。
【図３】図３は同底面図である。
【図４】図４は同側面図である。
【図５】図５は金型の鍔板に取り付けた状態を示す背面図である。
【図６】図６は同金型の鍔板に取り付けた状態を示す使用状態図である。
【図７】図７は同正面図である。
【図８】図８は同平面図である。
【図９】図９は同側面図である。
【考案を実施するための形態】
【００１３】
図１〜図５において１は金型反転具である。２は金型Ｍの端部３に設けられた鍔板で、鍔板２の内側部２１と鍔板２の外側部２２と鍔板２の側部２３からなっている。この金型反転具１は、金型Ｍの端部３において飛び出た鍔板２の内側部２１と前記鍔板２の側部２３に、それぞれ嵌め入れる挟持部１０の外側部１１と挟持部１０の側部１２を有している。
【００１４】
金型反転具１の前記挟持部１０の外側部１１に対して金型Ｍの鍔板２を挟んで対向する前記挟持部１０の内側部１３に複数のボルト穴１４を通してボルト１５が一定間隔ごとに設けられ、各ボルト１５の尖端面１６には金型Ｍの鍔板２に面で押圧するように弾発力を付与した補助板１７が設けられている。
【００１５】
１８は上端部に設けられたワイヤーの係合穴である。従って、本金型反転具を使用する場合、金型Ｍの鍔板２の内側部２１と鍔板２の側部２３に本考案の挟持部１０の外側部１１と挟持部１０の側部１２を嵌め入れて、ボルト１５を順次回していくと、補助板１７の弾発力に抗して各ボルト１５の螺着が達成される。そして上端部に設けられたワイヤーの係合穴１８にワイヤーを係合して、ワイヤーをクレーン等で引き上げることにより、金型を反転させることができる。
【００１６】
従って、本金型反転具１は、金型の穴をわざわざ利用する必要はないから、安全上危険を回避することができる。また本金型反転具１は、ボルト単体で締結するものでなく、好ましくは補助板１７により面で鍔板２を押圧することから、たとえワイヤーで引き上げることがあっても、危険ではない。またその際、本金型反転具１は、両端部に金型Ｍの鍔板２を押圧する方向に弾発力が付与されている場合は、両端部に弾発力が付与されていない場合に比して、補助板１７に付与される押圧力が均等になることから、鍔板２を有する金型において、より安全性が増大する。
【００１７】
またこの金型反転具１は、金型Ｍの鍔板２を押圧する方向に弾発力が付与されている場合は、両端部に弾発力が付与されていない場合に比して、補助板１７に付与される押圧力が均等になることから、鍔板２を有する金型において、より安全性が増大する。
【００１８】
また金型Ｍの鍔板２は図５〜図９に示す如く、端に設けられているので、クレーンによりそれを掴んで天に上げる事によって金型Ｍの重心が反転する方向に移動するので、あとはクレーンを降ろすだけで金型Ｍは反転する。そして重心の調整は、図６に示す様に、金型の天面から本道具を下に移動して固定するほどクレーンを上げた際に重心が反転する方向に移動するので、反転しやすくなる。またその移動距離は金型高さの４分の１から８分の１の距離が望ましい。
【００１９】
ところで本考案はこの実施形態に限定されるものでない。この金型反転具１はワイヤーの係合穴を上端部に有しているが格別これに限定されるものではない。またボルト穴は１又は２以上であってもよい。２以上のボルト穴１４の場合は一定間隔ごとにボルト１５が設けられている。
【００２０】
また補助板１７を利用する場合、補助板１７の両端部において金型Ｍの鍔板２を押圧する方向に弾発力が付与されているがこれに限定されるものではない。要するに本考案は、金型の端部において飛び出た鍔板の内側部と前記鍔板の側部に、それぞれ嵌め入れる金型反転具の挟持部の外側部と挟持部の側部を有し、前記挟持部の外側部に対して金型の鍔板を挟んで対向する前記挟持部の内側部にボルト穴を通してボルトが設けられていればよい。
【符号の説明】
【００２１】
１            金型反転具
２            鍔板
２１          内側部
２２          外側部
２３          側部
３            端部
１０          挟持部
１１          外側部
１２          側部
１３          内側部
１４          ボルト穴
１５          ボルト
１６          尖端面
１７          補助板
【図１】
0003212427.tif 000003
【図２】
0003212427.tif 000004
【図３】
0003212427.tif 000005
【図４】
0003212427.tif 000006
【図５】
0003212427.tif 000007
【図６】
0003212427.tif 000008
【図７】
0003212427.tif 000009
【図８】
0003212427.tif 000010
【図９】
0003212427.tif 000011